(57)【要約】  組み合わせネットワークは、異なるタイプの複数のネットワークを介して、端末間の同時接続を提供することができる。回線交換及びパケット交換のような異なるネットワークタイプにおける同一ユーザ機器に属する通信セッションは、相関し得る。回線交換ネットワークの通信セッションが、例えば、呼保留の受付のようなイベントで、補完サービスにより中止される場合、相関するパケット交換ネットワークの通信セッションもまた中止されるべきである。イベントを検出するユーザ機器は、回線交換ネットワークに中止メッセージを送信し、パケット交換ネットワークあるいはセッション状態マネージャノードにメッセージを送信する。セッション状態マネージャノードは、パケット交換ネットワークに中止メッセージを転送する、あるいはパケット交換ネットワークが中止が発生していることを通知しない場合は、パケット交換ネットワークに中止メッセージを送信する。
2008508755.tif 000002
【特許請求の範囲】
【請求項１】
少なくとも２つの異なるネットワークタイプの少なくとも２つのネットワーク（１１、１２、１３）を備える電気通信システム内のセッション制御を提供する方法であって、
前記ネットワーク（１１、１２、１３）は、少なくとも１つの第１ユーザ機器（１）とネットワークエンティティ（２、３４）と接続し、
前記第１ユーザ機器（１）と前記ネットワークエンティティ（２、３４）は、少なくとも２つの前記ネットワークとの接続部（１１、１２、１３）を有し、
前記方法は、
第１ネットワークタイプの前記ネットワーク（１１、１２、１３）に存在する第１通信セッション内のイベントを検出する工程と、
前記イベントに基づいて、第１メッセージを作成する工程と、
前記第１ネットワークタイプの前記ネットワーク（１１、１２、１３）に存在する前記第１通信セッションを制御することに関し、該第１ネットワークタイプの該ネットワーク（１１、１２、１３）内に備わるネットワークノード（６、７）へ前記第１メッセージを提供する工程と、
前記イベントに基づいて、第２メッセージを作成する工程と、
第２ネットワークタイプの前記ネットワーク（１１、１２、１３）に存在する第２通信セッションを制御することに関し、ネットワークノード（６、７）へ前記第２メッセージを提供する工程とを備え、
前記第１通信セッションと前記第２通信セッションは、異なるネットワークタイプの前記ネットワーク（１１、１２、１３）に存在し、かつ相関している
ことを特徴とする方法。
【請求項２】
前記検出する工程、前記作成する工程及び前記提供する工程は、前記第１ユーザ機器（１）によって実行される
ことを特徴とする請求項１に記載の方法。
【請求項３】
前記検出する工程、前記作成する工程及び前記提供する工程は、前記ネットワークエンティティ（２、３４）によって実行される
ことを特徴とする請求項１に記載の方法。
【請求項４】
前記イベントは、前記第１ユーザ機器（１）あるいは前記ネットワークエンティティ（２、３４）によって生成される
ことを特徴とする請求項１乃至３のいずれか１項に記載の方法。
【請求項５】
前記イベントは、前記第１ネットワークタイプの前記ネットワークに構成されている第１ネットワークセッションノード（７）によって生成される
ことを特徴とする請求項１乃至３のいずれか１項に記載の方法。
【請求項６】
前記ネットワークノード（５、６）は、セッション状態マネージャノード（５）、あるいは前記第２ネットワークタイプの前記ネットワークに構成されている第２ネットワークセッションノード（６）である
ことを特徴とする請求項１乃至５のいずれか１項に記載の方法。
【請求項７】
前記イベントは、前記セッション状態マネージャノード（５）によって生成される
ことを特徴とする請求項６に記載の方法。
【請求項８】
前記イベントは、前記第２ネットワークセッションノード（６）によって生成される
ことを特徴とする請求項６に記載の方法。
【請求項９】
前記イベントは、外部ノード（８）によって生成される
ことを特徴とする請求項６に記載の方法。
【請求項１０】
前記第１メッセージは、前記第１ネットワークセッションノード（７）に提供される
ことを特徴とする請求項５乃至９のいずれか１項に記載の方法。
【請求項１１】
前記第２メッセージは、前記第２ネットワークセッションノード（６）に提供される
ことを特徴とする請求項６乃至１０のいずれか１項に記載の方法。
【請求項１２】
前記第２メッセージは、該第２メッセージを前記第２ネットワークセッションノード（６）へ転送する前記セッション状態マネージャノード（５）に提供される
ことを特徴とする請求項６乃至１１のいずれか１項に記載の方法。
【請求項１３】
前記第２ネットワークセッションノード（６）は、前記第２メッセージの受信に応じて、前記第２通信セッションを停止するあるいは再開する
ことを特徴とする請求項６乃至１２のいずれか１項に記載の方法。
【請求項１４】
前記第２ネットワークセッションノード（６）は、前記第２メッセージの受信に応じて、前記第２通信セッションを遅延させるあるいは加速させる
ことを特徴とする請求項６乃至１３のいずれか１項に記載の方法。
【請求項１５】
前記第２ネットワークセッションノード（６）は、前記第２ネットワークタイプのネットワークの帯域幅を増加させるあるいは減少させる
ことを特徴とする請求項６乃至１４のいずれか１項に記載の方法。
【請求項１６】
前記第２ネットワークセッションノード（６）は、前記第２メッセージを受信してから所定時間遅延後、前記第２通信セッションを終了する
ことを特徴とする請求項６乃至１５のいずれか１項に記載の方法。
【請求項１７】
前記ネットワークエンティティ（２、３４）は、第２ユーザ機器（２）、あるいはコンテンツサーバであるようなネットワークサービスノード（３４）である
ことを特徴とする請求項１乃至１５のいずれか１項に記載の方法。
【請求項１８】
前記第１ユーザ機器（１）及び前記第２ユーザ機器（２）は、ネットワーク（１１、１２、１３）それぞれに接続される少なくとも１つの接続部を有する端末を備え、
前記端末は、デュアル転送モード（ＤＴＭ）端末、グローバル移動通信システム−汎用パケット無線システム（ＧＳＭ−ＧＰＲＳ）端末、あるいはユニバーサル移動体電気通信システムマルチ無線アクセスベアラ（ＵＭＴＳ  マルチＲＡＢ）端末であるような端末である
ことを特徴とする請求項１乃至１７のいずれか１項に記載の方法。
【請求項１９】
前記第１ユーザ機器（１）あるいは前記第２ユーザ機器（２）は、２つ以上の端末を備え、
前記２つ以上の端末それぞれは、ネットワーク（１１、１２、１３）それぞれに接続される少なくとも１つの接続部を有する
ことを特徴とする請求項１乃至１８のいずれか１項に記載の方法。
【請求項２０】
前記端末は、音声、オーディオ、ビデオ、電子メール、テキストメッセージあるいはデータのような通信セッションをデバイスによって展開する機能を有し、
前記デバイスは、電話、ヘッドセット、グローバル移動通信システム（ＧＳＭ）端末、改良型移動電話システム（ＡＭＰＳ）あるいはデジタルＡＭＰＳ（Ｄ−ＡＭＰＳ）端末、改良型デジタルコードレス電話（ＤＥＣＴ）端末、Ｂｌｕｅｔｏｏｔｈ（登録商標）端末、ユニバーサル移動体電気通信システム（ＵＭＴＳ）端末、ビデオ端末、パーソナルコンピュータ（ＰＣ）あるいはワークステーションのようなデバイスである
ことを特徴とする請求項１９に記載の方法。
【請求項２１】
前記端末（１、２）は、前記ネットワーク（１１、１２、１３）との無線接続部あるいは前記ネットワーク（１１、１２、１３）との有線接続部を有する
ことを特徴とする請求項１８乃至２０のいずれか１項に記載の方法。
【請求項２２】
前記ネットワーク（１１、１２、１３）は、回線交換（ＣＳ）タイプ及びパケット交換（ＰＳ）タイプの少なくとも一方のタイプのネットワークである
ことを特徴とする請求項１乃至２１のいずれか１項に記載の方法。
【請求項２３】
前記第１ユーザ機器（１）あるいは前記ネットワークエンティティ（２、３４）におけるインターネットプロトコルマルチメディアサブシステム（ＩＭＳ）アプリケーションが、前記イベントを検出して、かつ前記第１メッセージ及び前記第２メッセージを提供する
ことを特徴とする請求項２２に記載の方法。
【請求項２４】
前記第２ネットワークセッションノード（６）は、ＩＰマルチメディアサブシステム（ＩＭＳ）サーバであり、前記第２メッセージの受信に応じて、前記第２通信セッションを制御するように構成されている
ことを特徴とする請求項２２または２３に記載の方法。
【請求項２５】
前記イベントは、呼保留イベントあるいは終了イベントである
ことを特徴とする請求項１乃至２４のいずれか１項に記載の方法。
【請求項２６】
前記イベントと、該イベントに関連付けられている前記第２メッセージに基づいて、前記ＩＭＳサーバ（６）における保留動作あるいは終了動作は、該第２メッセージに備わるタイムスタンプと同期がとられる
ことを特徴とする請求項２４乃至２５のいずれか１項に記載の方法。
【請求項２７】
前記イベントが呼保留あるいは呼終了である場合、進行中の前記セッションが完了するまで、前記ＩＭＳサーバ（６）は、前記第１通信セッションあるいは前記第２通信セッションを維持する
ことを特徴とする請求項２４乃至２６のいずれか１項に記載の方法。
【請求項２８】
電気通信システムにおける処理を行うための通信装置であって、
前記電気通信システムは、少なくとも２つの異なるネットワークタイプの少なくとも２つのネットワーク（１１、１２、１３）を備え、
前記ネットワーク（１１、１２、１３）は、第１ユーザ機器（１）とネットワークエンティティ（２、３４）と接続し、
前記第１ユーザ機器（１）と前記ネットワークエンティティ（２、３４）は、それぞれがネットワークアドレスに関連付けられている、前記少なくとも２つのネットワークとのネットワーク接続部（１Ａ、１Ｂ、１Ｃ、２Ａ、２Ｂ、２Ｃ、３４Ａ、３４Ｂ、３４Ｃ）を有し、
前記ユーザ機器（１）は、
それぞれがネットワークアドレスを有するインタフェース（１Ａ、１Ｂ、１Ｃ）によって前記ネットワーク（１１、１２、１３）と通信接続され、前記インタフェース（１Ａ、１Ｂ、１Ｃ）を介してイベントを受信し、かつ第１メッセージ及び第２メッセージを送信する入出力（Ｉ／Ｏ）部（１０１）と、
前記イベントと前記メッセージを記憶するメモリ部（１０３）と、
前記イベントに基づいて、前記第１メッセージ及び前記第２メッセージを作成するように構成されている、アプリケーションプログラム記憶装置（１２）を備える処理部（１０２）とを備え、
前記イベントは、第１ネットワークタイプの前記ネットワーク（１１、１２、１３）に存在する第１通信セッション内で検出され、
前記第１メッセージは、前記第１通信セッションを制御することに関して、前記第１ネットワークタイプの前記ネットワーク（１１、１２、１３）に備わるネットワークノード（６、７）に送信され、
前記第２メッセージは、前記第２ネットワークタイプの前記ネットワーク（１１、１２、１３）に存在する第２通信セッションを制御することに関して、ネットワークノード（５、６、７）に送信され、
前記第１通信セッションと前記第２通信セッションは、異なるネットワークタイプの前記ネットワーク（１１、１２、１３）に存在している
ことを特徴とする通信装置。
【請求項２９】
前記アプリケーションプログラム記憶装置（１２）を備える処理部（１０２）は、時刻あるいは加入者プロファイルのような所定規則及びパラメータに従って、前記第１メッセージ及び前記第２メッセージを作成する
ことを特徴とする請求項２８に記載の通信装置。
【請求項３０】
前記第１ユーザ機器（１）は、ネットワーク（１１、１２、１３）それぞれに接続されている少なくとも１つの接続部を備える端末を備え、
前記接続部のそれぞれは、ネットワークアドレス（１Ａ、１Ｂ、１Ｃ）を有し、
前記端末は、デュアル転送モード（ＤＴＭ）端末、グローバル移動通信システム−汎用パケット無線システム（ＧＳＭ−ＧＰＲＳ）端末、あるいはユニバーサル移動体電気通信システムマルチ無線アクセスベアラ（ＵＭＴＳ  マルチＲＡＢ）端末であるような端末である
ことを特徴とする請求項２８または２９に記載の通信装置。
【請求項３１】
前記ユーザ機器（１）は、２つ以上の端末を備え、
前記２つ以上の端末それぞれは、ネットワーク（１１、１２、１３）それぞれに接続される少なくとも１つの接続部を有し、
前記接続部のそれぞれは、ネットワークアドレス（１Ａ、１Ｂ、１Ｃ）を有する
ことを特徴とする請求項２８乃至３０のいずれか１項に記載の通信装置。
【請求項３２】
前記端末は、音声、オーディオ、ビデオ、電子メール、テキストメッセージあるいはデータのような通信セッションをデバイスによって展開する機能を有し、
前記デバイスは、電話、ヘッドセット、グローバル移動通信システム（ＧＳＭ）端末、改良型移動電話システム（ＡＭＰＳ）あるいはデジタルＡＭＰＳ（Ｄ−ＡＭＰＳ）端末、改良型デジタルコードレス電話（ＤＥＣＴ）端末、Ｂｌｕｅｔｏｏｔｈ（登録商標）端末、ユニバーサル移動体電気通信システム（ＵＭＴＳ）端末、ビデオ端末、パーソナルコンピュータ（ＰＣ）あるいはワークステーションのようなデバイスである
ことを特徴とする請求項３０または３１に記載の通信装置。
【請求項３３】
前記端末（１）は、前記ネットワーク（１１、１２、１３）の少なくとも１つに対する無線接続部あるいは前記ネットワーク（１１、１２、１３）の少なくとも１つに対する有線接続部を有する
ことを特徴とする請求項３０乃至３２のいずれか１項に記載の通信装置。
【請求項３４】
前記ネットワーク（１１、１２、１３）と、それに関連付けられているネットワークアドレス（１Ａ、１Ｂ、１Ｃ）は、回線交換（ＣＳ）タイプ及びパケット交換（ＰＳ）タイプの少なくとも一方のタイプのものである
ことを特徴とする請求項２８乃至３３のいずれか１項に記載の通信装置。
【請求項３５】
前記端末（１）は、前記イベントを生成する入力手段（１０４）を有する
ことを特徴とする請求項３０乃至３４のいずれか１項に記載の通信装置。
【請求項３６】
前記端末（１）は、ＩＰマルチメディアサービス（ＩＭＳ）セッションを実行するように構成されている
ことを特徴とする請求項３０乃至３４のいずれか１項に記載の通信装置。
【発明の詳細な説明】
【技術分野】
【０００１】
本発明は、一般に固定通信システム、無線通信システム、あるいは組み合わせネットワークと称されるパケット交換回線交換アーキテクチャを有するハイブリッド通信システム等の、電気通信システムに関するものである。より詳しくは、本発明は、異なるタイプの別のネットワークにおける関連通信セッションでのイベントから得られる、ネットワーク上の通信セッションを効率的な方法で制御する方法を容易にするものである。
【背景技術】
【０００２】
固定ネットワークや、特に、グローバル移動通信システム（汎欧州デジタル移動電話方式）（ＧＳＭ：Global System for Mobile Communications）、汎用パケット無線システム（ＧＰＲＳ：General Packet Radio System）、あるいはユニバーサル移動体電気通信システム（ＵＭＴＳ：Universal Mobile Telecommunication System）等の移動体ネットワークは、絶えず進化している。現在のＧＳＭ／ＧＰＲＳ及びＵＭＴＳのネットワークは、回線交換（ＣＳ）接続及びパケット交換（ＰＳ）接続の両方を提供する。広範なタイプのデータの伝送能力を有するＰＳエンドツーエンド接続は、画像、オーディオ及びビデオの転送等のマルチメディアサービスの提供に使用される。ＣＳ接続は、信頼性が高く、かつ例えば、音声トラフィックに対するサービス品質（ＱｏＳ）が規定されている１つ以上の信頼できるネットワークノードを用いて、２つのユーザ機器間にリンクを提供する。
【０００３】
組み合わせネットワークのもとでは、１台以上のユーザ機器に対して、少なくとも２つの異なるネットワークタイプ、例えば、ＣＳあるいはＰＳの少なくとも２つのリンクが確立される。組み合わせネットワークは、ユーザ機器にＣＳ接続とＰＳ接続を展開する能力があり、それによって、ＰＳ通信セッション及びＣＳ呼（コール）と称されるＣＳ通信セッションを介して、そのアクティビティを実行するサービスを容易にする。本発明は、ＰＳ通信セッションとして実行されるインターネットプロトコルマルチメディアサブシステム（ＩＭＳ）サービスのアプリケーションを使用して提示されるので、本発明の残りの部分では、ＰＳ通信セッションをＩＭＳセッションと称する。
【０００４】
このサービスの組み合わせの形態から利益を得るために、１台以上の端末を備えるユーザ機器は、ＣＳ呼とＩＭＳセッションを同時に処理する能力が必要とされる。ＵＭＴＳ用のマルチ無線アクセスベアラ（ＲＡＢ：Multi Radio Access Bearer）端末及びＧＳＭ／ＧＰＲＳネットワーク用のデュアル転送モード（ＤＴＭ：Dual Transfer Mode）端末を利用することができる。これらのタイプの端末は、同時にＣＳ接続とＰＳ接続のサポートを提供する。
【０００５】
現在のところ、会話の音声はＰＳ無線ベアラでエンドユーザに配信できない。これは、例えば、運用中の無線アクセスネットワークの能力が不十分なためであり、それゆえ、既存のＣＳベアラが会話の音声を配信するために使用されている。将来は、ＰＳベアラを単独で、会話の音声及びマルチメディア用に使用することはおそらく可能となる。それでもやはり、ＤＴＭ端末はすでに、そしておそらくは将来のＵＭＴＳ端末は、ＣＳ接続とＰＳ接続の同時サポートをもたらすことになる。
【０００６】
サービスは、ＣＳネットワーク及びＰＳネットワークでそれぞれ展開される様々なＣＳ呼及びＩＭＳセッションから構成されてもよいが、エンドユーザからは単独のサービスのに見えるように感じさせるために、進行中のＣＳ呼あるいは確立されるＣＳ呼と進行中のＩＭＳセッション（群）あるいは確立されるＩＭＳセッション（群）との間の関係の形態をいくつか決定し展開することが望ましい。ＣＳ呼が終了あるいは一時的に停止される場合、両方の通信セッションは互いに緊密に関連して組み合わせサービスを提供するという認識をユーザに提供するために、関連するＩＭＳセッションもまた終了あるいは停止されるべきである。
【０００７】
呼保留イベントは、ユーザ機器に同時に存在しかつ相関するＩＭＳセッションに影響を与える可能性のあるＣＳネットワーク内のイベントの一例である。呼保留は、組み合わせサービスに関連する補完サービスの一例であり、即ち、第３世代パートナーシッププロジェクト（３ＧＰＰ）のサービス、例えば、３ＧＰＰ仕様書ＴＳ  ２２．０８３、呼待機（コールウェイティング）及び呼保留（コールホールド）で定義される、ＩＭＳで補完されているＣＳサービスである。
【０００８】
音声、ビデオ及びデータであるような電気通信サービスをＰＳネットワークで展開することは、近い将来は現実的な状況となるであろうが、従来の無線ネットワーク、例えば、ＧＳＭあるいはＵＭＴＳの状態は、ＰＳネットワークの無線ベアラを介する音声トラフィックに対して必要とされるサービス品質（ＱｏＳ）を提供することはできないだろう。
【０００９】
組み合わせサービスでは、音声サービスは従来のＣＳネットワークを介して搬送され、ＰＳネットワークを介するビデオサービス及びデータサービスは、言及されたＱｏＳに関するソリューションを提供する。
【００１０】
ＣＳネットワークは、ＣＳ呼に関していくつかのＣＳサービス、例えば、補完サービスを提供する。現在までに開発されているＩＭＳアプリケーションは、ＰＳネットワークを介してエンドユーザが利用できるＩＭＳセッション用のＩＭＳサービスをいくつか提供している。
【００１１】
ＩＭＳサービスが組み合わせネットワーク内で適用される場合、ＣＳ呼はＣＳネットワークを介して搬送され、ＩＭＳセッションはＰＳネットワークを介して搬送される。ＣＳサービスで提供されるＣＳ呼とＩＭＳサービスで提供されるＩＭＳセッションとの間には関係がない。これは、異なるベアラを介して搬送されることに起因して、ＣＳ呼とＩＭＳセッションとは互いに無関係であるからである。
【００１２】
３ＧＰＰ仕様書ＴＳ  ２２．０８３［呼待機及び呼保留補完サービス、ステージ１］、ＴＳ  ２３．０８３［呼待機及び呼保留補完サービス、ステージ２］、ＴＳ  ２４．０８０［移動体無線レイヤ３補完サービス仕様書：フォーマット及びコーディング］及びＴＳ  ２４．０８３［呼待機及び呼保留補完サービス、ステージ３］は、ＣＳサービスの呼待機及び呼保留を詳細に記載している。呼保留サービスは、この補完サービス（ＳＳ：Supplementary Service）が提供される、サービスを受けている移動体加入者に、既存のアクティブなＣＳ呼の通信を中断すること、その後、必要な場合は、通信を再確立することを可能にする。トラフィックチャネルは移動体加入者に割り当てられたままにすることで、通信の中断後も、他の呼を開始あるいは終了することを可能にする［ＴＳ  ２２．０８３ステージ１による］。
【００１３】
呼保留サービスが起動される場合、通信はトラフィックチャネル上で中断され、トラフィックチャネルは既存の呼から解放される。トラフィックチャネルは、呼保留サービスを起動するサービスを受ける移動体加入者のために確保される。サービスを受ける移動体加入者は、一度に１つの呼を保留する。加入者が１つの呼を保留していて、任意の呼とも接続していない限り、サービスを受ける移動体加入者のために、トラフィックチャネルが１つ確保されるべきである。即ち、ネットワークは、移動局に対して１つ以上のトラフィックチャネルを確保すべきでない。
【００１４】
サービスを受ける移動体加入者が呼を保留していて、アクティブな呼に接続していない場合、その加入者は、保留している呼を回復するか、別の呼をセットアップするか、保留している呼を切断するかのいずれかを行う。
【００１５】
サービスを受ける移動体加入者が呼を保留していて、アクティブな呼に接続していない場合、その加入者は、呼待機補完サービスを使用する場合を除いて、呼を受信することはできない。
【００１６】
サービスを受ける移動体加入者がアクティブな呼に接続していて、もう１つの呼を保留している場合、その加入者は、１つの呼から他の呼へ切り替える、アクティブな呼を切断する、若しくは保留している呼を切断する、あるいは両方の呼とも切断する、のいずれかを行う。
【００１７】
サービスを受けている移動体加入者がアクティブな呼に接続中で、別の呼を保留している場合、加入者は、呼を受信することはできない。より詳細な情報は、３ＧＰＰ  ＴＳ  ２２．０８３に示されている。
【発明の開示】
【発明が解決しようとする課題】
【００１８】
呼保留補完サービスは、ＣＳのコンテキストで仕様が指定されている。この呼保留サービスの仕様を指定する時点では、ＩＭＳサービスは仕様が指定されていなかったので、これには含まれていない。
【００１９】
ＩＭＳプロトコルとＩＭＳアーキテクチャの仕様においては、マルチメディアサービスの音声構成要素は、会話のＰＳネットワークベアラを使用しているだろうと想定されていた。オペレータが定義するＩＭＳサービスは、サービスネットワークによって実行されてもよい。これらのＩＭＳサービスは、ＩＭＳで指定されていない。ＩＭＳ内には、いくつかのプリミティブが指定されており、サービスネットワークにＩＭＳサービスを実行することを可能にする。ＣＳドメイン内の呼保留サービスと同様な、ＩＭＳ仕様内で定義される「ＩＭＳセッション保留サービス」は存在していない。
【００２０】
ＩＭＳサービスであるようなＰＳサービスと組み合わせたＣＳドメインサービス、即ち組み合わせサービスの展開を考慮すると、ＣＳドメインサービスとＩＭＳドメインベースのＩＭＳサービスとの間の、サービスの相互連係の新しい分野が生まれている。組み合わせ呼保留サービスに関しては、ＣＳネットワーク内で呼保留イベントが発生している場合、ＣＳドメインサービス及びＩＭＳサービスの両方が停止され、ＣＳドメイン接続及びＩＭＳ接続は中断される必要がある。
【００２１】
さらに、ネットワーク内のセキュリティ原理への影響の問題がある。一般に、ユーザ機器は、呼保留のようないくつかの関係するネットワーク処理を開始することを担当するが、ネットワーク内の信頼できるエンティティとは見なされない。それゆえ、ユーザ機器の「信頼できない」本質を補償するために、ユーザ機器を補完する検証メカニズムを利用できる必要がある。
【課題を解決するための手段】
【００２２】
本発明の目的は、ＣＳネットワーク及び少なくとも１つのＰＳネットワークからなる、少なくとも２つの異なるネットワークタイプの２つ以上のネットワークを備える組み合わせネットワークに存在する通信セッションを、ＣＳネットワーク内で発生するイベントに応じて制御する方法を提供することである。ここで、これらの通信セッションは、ＣＳネットワークのＣＳ呼及びＰＳネットワークのＩＭＳセッションからなり、異なるネットワークタイプのネットワークでそれらのセッションを展開するユーザ機器（ＵＥ）を有するパーティに関係している。
【００２３】
本方法は、ＣＳ呼及び１つ以上のＩＭＳセッションの制御に、呼保留のようなＣＳドメイン補完サービスを提供する。そのＣＳドメインサービスである呼保留は、ＩＭＳドメインベースのＩＭＳサービスと協働する。
【００２４】
本発明の目的はさらに、上記の方法に従う前述の通信セッションの制御を実行するように構成されている、ＵＥ及びネットワーク装置を提供することである。
【００２５】
これらの目的は、少なくとも２つの異なるネットワークタイプの少なくとも２つのネットワークを備える電気通信システム内で、セッション制御を提供する方法を用いる、本発明によって達成される。ここで、ネットワークはＵＥ及びネットワークエンティティに接続されていて、ＵＥ及びネットワークエンティティの両方とも少なくとも２つのネットワークとのネットワーク接続部を有する。本方法は、制御対象の関連ＩＭＳセッションを必要とするＣＳネットワークで、呼保留受付のようなイベントを検出し、ＣＳ呼を制御することに関して、第１メッセージを作成してＣＳネットワークに提供し、及び１つ以上のＩＭＳセッションを制御することに関して、第２メッセージを作成してＰＳネットワークに提供することを提供する。これらの検出する工程、作成する工程及び提供する工程を実行する装置もまた、提供される。
【００２６】
本発明に従う方法は、呼保留受付のようなイベントを検出するＵＥが、ＣＳネットワークに第１メッセージを送信し、ＰＳネットワークに第２メッセージを送信することで、ＣＳネットワーク及びＰＳネットワークによる適切な動作を期待するという洞察に基づいている。この適切な動作は、ＰＳネットワークで進行中の相関する通信ＩＭＳセッションに適用される。第１ソリューションでは、セッション状態マネージャノードが、ＣＳネットワーク及びＰＳネットワークから、その動作が実行されたとの通知を受信する。ＰＳネットワークからの通知が（時間内に）到着しない場合、セッション状態マネージャノードは、ＰＳネットワークに第２メッセージを送信する。第２ソリューションでは、第２メッセージが、セッション状態マネージャノードを介してＵＥからＰＳネットワークに送信される。
【００２７】
本発明は、中断、再開あるいは終了ような適切な所定の方法でＩＭＳドメインベースサービスの制御を行うため、あるいは転送するために、セッション状態マネージャノードが起動されることを提供する。
【００２８】
本方法は、サービスレイヤのアプリケーションが進行中の組み合わせサービスのセッション状態を問い合わせる手段を提供するように、ネットワーク内にセッション状態情報を維持するネットワークエンティティを提供する。
【００２９】
提示される本発明の展開により、例えば、ＣＳネットワーク及びＰＳネットワークの少なくとも一方の呼保留サービスの起動が、セッション状態情報を有する上述のセッション状態マネージャノードに向けて、セッション状態更新を開始させるだろうことが可能になる。
【００３０】
本発明に従うこれらの実行形態及び他の実行形態は、これから添付の図面を参照して更に詳細に説明する。
【発明を実施するための最良の形態】
【００３１】
本発明の範囲を限定することなく、本発明を完全に理解してもらうために、組み合わせネットワーク環境で展開される移動体通信システムの現在の実装を背景に及びその範囲内で、本発明は提示される。しかしながら、本発明は、組み合わせネットワークを備えるどの通信システムにも展開できる。
【００３２】
２人のユーザ、パーティＡとパーティＢは、進行中の通信セッションを有していると想定する。パーティＡとパーティＢとの間のその通信セッションは、ＣＳネットワークが提供するＣＳ呼とＰＳネットワークが提供するＰＳセッションからなり、両方の通信セッションは「通信の構成要素」と見なされる。パーティＡが使用するユーザ機器（ＵＥ）及びパーティＢが使用するＵＥは、ＣＳ通信セッションとＰＳ通信セッションを同時に行うことができるものとする。ＣＳ通信セッションとＰＳ通信セッションを同時に行うことを、デュアルモード通信と呼ぶ。前述のデュアルモード機能は、１台のデバイスの中に納められているか、あるいは前述のデュアルモードＵＥが例えば、移動電話機及びパーソナルコンピュータ（ＰＣ）を備える分割構成のＵＥ等で、複数のデバイスの中に搭載されている。
【００３３】
通信を確立するためにパーティ間で交換されるメッセージ及び通信中に交換されるメッセージの少なくとも一方は、組み合わせネットワーク内の少なくとも２つの異なるネットワークタイプの複数のネットワークに接続するネットワークエンティティを備える「サービスネットワーク」によって、捕捉され、かつ変更することができる。
【００３４】
図１は、いくつかのネットワークエンティティ１、２、３、５、８、３４及び組み合わせネットワーク１０を有するネットワークを、概略的に示している。この組み合わせネットワーク１０は、少なくとも２つの異なるネットワークタイプのいくつかのネットワーク１１、１２、１３を備え、そのネットワーク１１、１２、１３のすべてあるいは少なくとも２つに、第１ＵＥ１及び第２ＵＥ２が接続されている。ネットワーク１１、１２、１３への物理的な接続を提供するために、ＵＥ１、２は、ネットワーク１１、１２、１３に対して、ネットワークアドレスに関連付けられているネットワークインタフェースを有している。
【００３５】
本発明の説明のために、ネットワーク１１はＣＳネットワークタイプのネットワークであり、ネットワーク１２、１３はＰＳネットワークタイプのネットワークであると想定する。ＣＳネットワーク１１とＣＳサービスとの組み合わせは、ＣＳドメインと見なされ、ＰＳネットワーク１２、１３とＩＭＳサービスとの組み合わせは、ＩＭＳドメインと見なされる。
【００３６】
以下の説明では、ＣＳネットワーク１１で発生するＣＳ呼中のイベントが、どのようにしてＰＳネットワーク１２、１３内の相関するＩＭＳセッションの適切な動作をもたらすかを説明する。本発明の範囲を限定することなく、呼保留イベントを使用して、本発明が提案する方法を説明する。
【００３７】
本発明は、組み合わせネットワーク１０の相関する通信セッションを制御する課題に対して、「セッション状態マネージャ」ノード５と呼ぶネットワークエンティティを導入することで、３つの密接に関連するソリューションについて言及する。
【００３８】
説明されるソリューションでは、パーティＡのＵＥ１とパーティＢのＵＥ２とは、ＣＳネットワーク１１を介して互いに進行中のＣＳ呼を有し、かつＰＳネットワーク１２、１３を介して互いに関連する進行中のＩＭＳセッションを有していると仮定する。以下の説明では、ＰＳネットワーク１２、１３で単独の進行中のＩＭＳセッションを記載するが、ＰＳネットワーク１２、１３で提供される単独のＩＭＳセッションと同一の方法で、同一あるいは複数のＰＳネットワーク１２、１３で複数のＩＭＳセッションが同時に展開される。
【００３９】
コンテンツサーバとして実装されるネットワークエンティティ３４は、ネットワーク１１、１２、１３に接続されていて、ＵＥ２と同じように、ネットワーク１１、１２、１３を介して、ＵＥ１と関連する同時通信セッションを行う。本発明は、ＵＥ１とＵＥ２とが相関する通信セッションを行う場合で説明するが、ＵＥ１がコンテンツサーバ３４と相関する通信セッションを有している場合もまた、本発明に含まれることになる。
【００４０】
図１は、組み合わせネットワーク１０に備えられる、ネットワークセッションノード６、７のようなネットワークエンティティも示している。
【００４１】
ＣＳドメインネットワークセッションノード７は、ＣＳドメインに備えられ、ＵＥ１、２あるいはネットワークエンティティ３４からメッセージを受信するように構成されている。このＣＳドメインネットワークセッションノード７は、ＣＳネットワーク１１に、パーティＡのＵＥ１とパーティＢのＵＥ２との間のＣＳ接続に対する呼保留、及びパーティＡのＵＥ１とパーティＣのＵＥに対する呼確立のようなイベントを実行させるように構成されている。ＣＳドメインネットワークセッションノード７は、セッション状態マネージャノード５にＩＭＳドメインに向けて適切な動作を実行することを可能にするために、セッション状態マネージャノード５にイベントメッセージを通知あるいは提供するように構成されている。その動作は、ＣＳドメインで発生するイベントに応答してＩＭＳドメインで進行中のＩＭＳセッションの、例えば、中断あるいは終了となり得る。
【００４２】
さらに、ＣＳドメインネットワークセッションノード７は、呼保留のようなイベントを生成するように構成されている。このイベントは、ＵＥ１、２あるいはコンテンツサーバ３４により検出されるものである。
【００４３】
ＣＳドメインネットワークセッションノード７は、別のネットワークノードによって生成すされるイベントに基づいて、メッセージを受信するようにも構成することができる。
【００４４】
ＩＭＳドメインネットワークセッションノード６は、ＩＭＳドメインに備えられていて、ＵＥ１、２あるいはネットワークエンティティ３４からメッセージを受信するように構成されている。
【００４５】
このＩＭＳドメインネットワークセッションノード６は、前述のメッセージを解釈し、それに応じてＵＥ１、２、コンテンツサーバ３４あるいはセッション状態マネージャノード５のリクエストにより、パーティＡのＵＥ１とパーティＢのＵＥ２、あるいはパーティＡのＵＥ１とコンテンツサーバ３４との間に進行中のＩＭＳセッションを中断あるいは終了するように構成されている。進行中のＩＭＳセッションの中断あるいは終了とは別に、ＩＭＳドメインネットワークセッションノード６は、停止、再開、遅延、加速させる、あるいはＰＳネットワークのベアラの帯域幅を増加／減少させる。
【００４６】
ＩＭＳドメインネットワークセッションノード６は、セッション状態マネージャノード５にＩＭＳセッション（群）の実際の状態を通知するために、セッション状態マネージャノード５にイベントメッセージを通知あるいは提供するように構成されている。
【００４７】
さらに、ＩＭＳドメインネットワークセッションノード６は、ＩＭＳセッション「保留」のようなイベントを生成するように構成されている。このイベントは、ＵＥ１、２あるいはコンテンツサーバ３４により検出されるものである。
【００４８】
ＩＭＳドメインネットワークセッションノード６は、別のネットワークノードが生成するイベントに基づいてメッセージを受信するようにも構成することができる。
【００４９】
ＩＭＳドメインネットワークセッションノード６が受信するメッセージは、タイムスタンプを備えていてもよく、ＩＭＳドメインネットワークセッションノード６は、終了動作あるいは停止動作とタイムスタンプとを同期させるように構成されている。
【００５０】
ＩＭＳドメインネットワークセッションノード６は、ＩＭＳセッションが完了するまで、進行中のＩＭＳセッションの停止あるいは終了の実行を遅延させる機能を有している。遅延させる動作は、メッセージの受信に応じて行われる。
【００５１】
ＩＭＳドメインネットワークセッションノード６は、ＩＭＳサーバとして実装されてもよい。
【００５２】
ネットワーク１１、１２、１３の外部に配置されている外部ネットワークノード８は、ネットワーク１１、１２との接続を有している。この外部ネットワークノード８もイベントを生成することができ、そのイベントが検出される場合、ＣＳドメインあるいはＩＭＳドメインのネットワークセッションノード６、７に、その結果として動作を起こさせることになる。
【００５３】
セッション状態マネージャノード５は、以下のことを行うように構成されている。
【００５４】
−ＣＳドメインネットワークセッションノード７及びＩＭＳドメインネットワークセッションノード６から、それぞれのＣＳ呼あるいはＩＭＳセッションで「保留」が発生していることを示す通知を受信する。
【００５５】
−ＵＥ１、２あるいはコンテンツサーバ３４から、ＩＭＳセッション保留メッセージあるいは呼保留イベントメッセージを受信する。
【００５６】
−パーティＡのＵＥ１、パーティＢのＵＥ２、あるいはコンテンツサーバ３４から、呼保留イベントメッセージを受信する。
【００５７】
−ＩＭＳドメインネットワークセッションノード６に、呼保留イベントメッセージあるいはＩＭＳセッション保留メッセージを送信する。
【００５８】
−サービスレイヤのアプリケーションが進行中の組み合わせサービスのセッション状態を問い合わせする手段を提供するように、ネットワーク内にＣＳ呼状態情報及びＩＭＳセッション状態情報を維持する。
【００５９】
さらに、セッション状態マネージャノードはイベントを生成してもよい。セッション状態マネージャノードは、関連するＣＳ呼とＩＭＳセッションの知識を有し、かつ従来技術の方法に従ってＣＳ呼とＩＭＳセッションとの相関をチェックする能力を有している。
【００６０】
第１ソリューションは、ＵＥ１、２によってＩＭＳドメインネットワークセッションノード６に向けてＩＭＳセッション保留メッセージを送信することに基づいている。ＰＳネットワーク１２、１３は、ＰＳネットワーク通知を用いてセッション状態マネージャノード５に、パーティＡのＵＥ１とパーティＢのＵＥ２との間のＩＭＳセッションが保留されていることと通知することになる。そのＰＳネットワーク通知に加えて、セッション状態マネージャノード５は、ＣＳネットワーク１１からの、パーティＡのＵＥ１とパーティＢのＵＥ２との間のＣＳ接続が保留されていることを示す通知によって更新されることになる。
【００６１】
図２Ａを参照して、第１ソリューションを説明する。パーティＡのＵＥ１がパーティＢのＵＥ２に向けての相関するＣＳ呼と進行中のＩＭＳセッションを有している間に、パーティＡのＵＥ１がパーティＣのＵＥから呼終了の試行を受信すると想定する。パーティＡはパーティＣからの通話を受け付けることを決定し、パーティＢとのＣＳ呼を保留する。従来技術の方法に従えば、パーティＡのＵＥ１は、ＣＳドメインネットワークセッションノード７に呼保留メッセージ２１１を送信し、ＣＳネットワークにパーティＡのＵＥ１とパーティＢのＵＥ２との間のＣＳ接続に対して呼保留を実行させる。この第１ソリューションにおいて、本発明は、パーティＡのＵＥが、パーティＡのＵＥ１とパーティＢのＵＥ２との間のＩＭＳセッションを保留するために、ＩＭＳドメインネットワークセッションノード６にＩＭＳセッション保留メッセージ２１２もまた送信するとことを行う。ＣＳドメインネットワークセッションノード７とＩＭＳドメインネットワークセッションノード６の両方とも、セッション状態マネージャノード５に、パーティＡのＵＥ１とパーティＢのＵＥ２との間のそれぞれのセッションが保留されていることを示す通知２１３、２１４を行う。
【００６２】
この第１ソリューションは、ＵＥ１、２を用いてＩＭＳドメインネットワークセッションノード６にＩＭＳセッション保留メッセージ２１２を送信することに基づいている。ＰＳネットワーク１２、１３は、セッション状態マネージャノード５に、パーティＡのＵＥ１とパーティＢのＵＥ２との間のＩＭＳセッションが保留されていることを示す通知２１４を行うことになる。上述のＩＭＳネットワーク通知に加えて、セッション状態マネージャノード５は、ＣＳネットワーク１１からの、パーティＡのＵＥ１とパーティＢのＵＥ２との間のＣＳ接続が保留されていることを示す通知２１３でも更新されることになる。この方法では、セッション状態マネージャノード５は、ネットワーク１１、１２、１３のセッションの実際の状態の完全な概要を有している。
【００６３】
ＵＥ１がＩＭＳドメインネットワークセッションノード６に向けてＩＭＳセッション保留メッセージ２１２を何らかの理由で送信しない場合において、ＣＳセッションが保留に設定されていることを示す通知２１３を受信後、時間間隔Δｔ内にＩＭＳセッションが中止されているという通知が受信されない場合、セッション状態マネージャノード５は、進行中のＩＭＳセッションを中止するために、ＩＭＳドメインネットワークセッションノード６に通知２１５を行う。
【００６４】
この第１ソリューションの拡張として、ＩＭＳドメインネットワークセッションノード６は、パーティＡのＵＥ１からＩＭＳセッション保留メッセージ２１２を受信後、直ちに進行中のＩＭＳセッションを停止するかわりに、次のどちらかを行う。
【００６５】
ａ）ＩＭＳセッション保留動作と第２メッセージに備わるタイムスタンプとを同期させる。
【００６６】
ｂ）進行中のセッションが完了するまで進行中のＩＭＳセッションを維持する。
【００６７】
図２Ｂを参照して、第２ソリューションを説明する。パーティＡのＵＥ１がパーティＢのＵＥ２に向けて相関するＣＳ呼とＩＭＳセッションを有している間に、パーティＡのＵＥ１がパーティＣのＵＥから呼終了の試行を受信すると想定する。パーティＡはパーティＣからの呼を受け付けることを決定し、パーティＢとのＣＳ呼を保留する。従来技術の方法によれば、パーティＡのＵＥ１は、ＣＳドメインネットワークセッションノード７に呼保留メッセージ２２１を送信し、ＣＳネットワークにパーティＡのＵＥ１とパーティＢのＵＥ２との間のＣＳ接続に対して呼保留を実行させる。この第２ソリューションにおいて、本発明は、パーティＡのＵＥ１は、パーティＡのＵＥ１とパーティＢのＵＥ２との間のＣＳ呼が保留されていることを示すために、セッション状態マネージャノード５に向けて呼保留イベントメッセージ２２２を送信することを行う。この呼保留イベントメッセージ２２２を送信することにより、ＵＥ１は、セッション状態マネージャノード５がＩＭＳセッションの保留を実行することを期待する。
【００６８】
パーティＡのＵＥ１は、（少なくとも）両方のネットワークタイプのネットワーク（１１、１２、１３）と接続しているので、ＵＥ１は、ＣＳネットワーク１１あるいはＰＳネットワーク１２、１３のいずれかを介して、この呼保留イベントメッセージ２２２を送信する。
【００６９】
ＵＥ１から受信した呼保留イベントメッセージに答えて、パーティＡのＵＥ１とパーティＢのＵＥ２との間のＣＳ呼が保留されていることを示すために、セッション状態マネージャノード５は、ＩＭＳドメインネットワークセッションノード６に呼保留イベントメッセージ２２３を送信する。続いて、ＩＭＳドメインネットワークセッションノード６は、パーティＡのＵＥ１とパーティＢのＵＥ２との間のＩＭＳセッションを停止する。
【００７０】
この第２ソリューションでは、ＣＳドメインに呼保留要求を開始する場合に、ＵＥ１、２は、ＣＳネットワーク１１を介するあるいはＰＳネットワーク１２、１３を介するセッション状態マネージャノード５に向けての接続部を有し、セッション状態マネージャノード５に通知２２２を行う。セッション状態マネージャノード５は、そのセッション状態情報を更新し、パーティＡのＵＥ１とパーティＢのＵＥ２との間のＩＭＳ接続を切断するようＩＭＳドメインネットワークセッションノード６に通知２２３を行う。
【００７１】
この第２ソリューションの拡張として、セッション状態マネージャノード５からメッセージ２２３を受信後、ＩＭＳドメインネットワークセッションノード６は、直ちに進行中のＩＭＳセッションを停止するかわりに、次のどちらかを行う。
【００７２】
ａ）ＩＭＳセッション保留動作と第２メッセージに備わるタイムスタンプとを同期させる。
【００７３】
ｂ）進行中のセッションが完了するまで進行中のＩＭＳセッションを維持する。
【００７４】
図２Ｃを参照して、ＵＥ１が、ＣＳドメインネットワークセッションノード７及びＩＭＳドメインネットワークセッションノード６に、それぞれ第１及び第２ＣＳ／ＩＭＳ保留メッセージを送信する場合の代替案として、第３ソリューションを説明する。この代替案では、ＵＥは、１つのメッセージだけを送信する。
【００７５】
パーティＡのＵＥ１がパーティＢのＵＥ２に向けて相関するＣＳ呼と進行中のＩＭＳセッションを有している間に、パーティＡのＵＥ１がパーティＣのＵＥから呼終了の試行を受信すると想定する。パーティＡはパーティＣからの呼を受け付けることを決定し、パーティＢとのＣＳ呼を保留する。従来技術の方法に従えば、パーティＡのＵＥ１は、ＣＳドメインネットワークセッションノード７に呼保留メッセージ２３１を送信し、ＣＳネットワークにパーティＡのＵＥ１とパーティＢのＵＥ２との間のＣＳ接続に対して呼保留を実行させる。この第３ソリューションにおいて、本発明は、パーティＡのＵＥ１によって、パーティＣから受け入れた呼を示すために、ＣＳドメインネットワークセッションノード７は、セッション状態マネージャノード５にＣＳドメインイベントメッセージ２３２を送信することを行う。続いて、セッション状態マネージャノード５は、パーティＡのＵＥ１とパーティＢのＵＥ２との間のＩＭＳセッションを停止させることを示す命令を含むＩＭＳ通知２３３を送信することにより、ＣＳドメイン呼保留についてＩＭＳドメインネットワークセッションノード６に通知する。ＩＭＳドメインネットワークセッションノード６は、セッション状態マネージャノード５からのメッセージ２３３を受信後、ＩＭＳセッションを停止する。このＩＭＳセッションの停止は、状況に応じて、実際の停止を進行中のＩＭＳセッションが終了するまで遅延させるように、あるいは中断がセッション状態マネージャノード５の通知により提供されるタイムスタンプと同期を取られるように実行される。
【００７６】
この第３ソリューションでは、ＣＳドメインネットワークセッションノード７は、セッション状態マネージャノード５に、パーティＡのＵＥ１とパーティＣのＵＥとの間に接続が確立されていることを示す通知２３２を行う。セッション状態マネージャノード５は、パーティＡのＵＥ１はすでにパーティＢのＵＥ２と組み合わせセッションを行っていたことを理解し、ＰＳネットワーク１２、１３に、パーティＡのＵＥ１とパーティＢのＵＥ２との間のＰＳ接続は中断される必要があることを示す通知を行うことになる。
【００７７】
この第３ソリューションの拡張として、セッション状態マネージャノード５からメッセージ２３３を受信後、ＩＭＳドメインネットワークセッションノード６は、直ちに進行中のＩＭＳセッションを停止するかわりに、次のどちらかを行う。
【００７８】
ａ）ＩＭＳセッション保留動作と第２メッセージに備わるタイムスタンプとを同期させる。
【００７９】
ｂ）進行中のセッションが完了するまで進行中のＩＭＳセッションを維持する。
ＵＥのような通信装置の一部を概略的に示す図３を参照して、ＵＥ１、２を説明する。ＵＥ１、２は、それぞれネットワークアドレスを有するインタフェース１Ａ、１Ｂ、１Ｃを用いてネットワーク１１、１２、１３に接続される入出力（Ｉ／Ｏ）部１０１を備える。呼保留及びＩＭＳセッション保留を含むイベントは、ＵＥ１、２により生成されてもよいし、またＩ／Ｏ部１０１により受信されてもよい。Ｉ／Ｏ部１０１は、別のネットワークエンティティ２、５、８、３４からイベントを受信してもよく、インタフェース１Ａ、１Ｂ、１Ｃを介して第１メッセージ及び第２メッセージを送信する。ＵＥ１、２は、イベント及びメッセージを格納するように構成されているメモリ部１０３を備える。
【００８０】
処理部１０２は、アプリケーションプログラム用のアプリケーションプログラム記憶装置１０２Ａを有し、これは、イベントを検出し、時刻あるいは加入者プロフィールのような所定の規則及びパラメータに従うイベントに基づいて、第１メッセージ及び第２メッセージを作成するように構成されている。アプリケーションプログラムは、ＩＭＳアプリケーションである。
【００８１】
ＵＥ１、２は、デュアル転送モード（ＤＴＭ）端末、グローバル移動通信システム−汎用パケット無線システム（ＧＳＭ−ＧＰＲＳ）端末、あるいはユニバーサル移動体電気通信システムマルチ無線アクセスベアラ（ＵＭＴＳ  Ｍｕｌｔｉ−ＲＡＢ）端末であるような端末として実装される。
【００８２】
ＵＥ１、２が分割端末環境で実装される場合、ＣＳ接続は、電話、ヘッドセット、グローバル移動通信システム（ＧＳＭ）端末、改良型移動電話システム（ＡＭＰＳ：Advanced Mobile Phone System）端末、デジタルＡＭＰＳ（Ｄ−ＡＭＰＳ）端末、改良型デジタルコードレス電話（ＤＥＣＴ：Digital Enhanced Cordless Telephony）端末、Ｂｌｕｅｔｏｏｔｈ（登録商標）端末、あるいはユニバーサル移動体電気通信システム（ＵＭＴＳ）端末であるような端末により達成される。分割端末では、ＰＳ接続は、ビデオ端末、パーソナルコンピュータ（ＰＣ）あるいはワークステーションであるようなの端末で達成される。ＵＥ１の入力手段１０４は、ＵＥ１、２でイベントを初期化する方法を提供する。
本発明の実装は、ＣＳドメインネットワークセッションノード７としての移動通信交換局（ＭＳＣ）、及びＩＭＳドメインネットワークセッションノード６としてのセッション開始プロトコルアプリケーションサーバ（ＳＩＰ−ＡＳ）のような従来技術のネットワークエンティティを活用することによって提供される。ＵＥ１、２、ネットワークエンティティ３４、ネットワークセッションノード６、７、セッション状態マネージャノード５の間で使用されるメッセージタイプ及びネットワークアドレスは、ネットワークタイプに依存する、従来技術のメッセージタイプ及びアドレスである。
【００８３】
セッション状態マネージャノード５は、組み合わせネットワーク内のマルチメディアセッションの状態を反映する。ＣＳ呼とＰＳセッションとは相関している。セッション状態マネージャノード５が、相関が存在するかどうかをチェックする必要がある場合、同時係属米国出願ＵＳ−６０／５９２，４２６号で開示される方法が使用されてもよい。この同時係属米国出願は、ネットワークアドレスと通信セッションとの間の関係についての実際のデータを有するいくつかの論理的データベースが導入されている方法を示している。ここでは、相関チェックは、相関ノードにより展開される。このチェックは、前述のデータベースあるいは他のネットワークエンティティに向けたいくつかの問い合わせから構成され、通信セッションが組み合わせと見なされるかどうかの回答をもたらす。相関ノードは、通信セッションが存在することを確認し、通信セッション間の相関を判定し、その判定された相関をサブシステムに提供する。通信セッションの存在の確認は、ＣＳネットワークを介して及びＰＳネットワークを介して、第１ユーザ機器及びネットワークエンティティのネットワークアドレスを取得する工程、及び両方のネットワークタイプの通信セッションの存在を検証する工程を備える。
【００８４】
セッション状態マネージャノード５は、ＵＥ１、２のＣＳネットワークタイプ及びＰＳネットワークタイプのネットワークアドレスが利用可能である組み合わせネットワーク内の、マルチメディアセッションの状態を反映する。セッション状態マネージャノード５が、ＵＥ１、２のＰＳネットワークタイプのネットワークアドレスを取得する必要がある場合、同時係属米国出願ＵＳ−６０／５９２，４２７号で開示される方法が使用されてもよい。この同時係属米国出願は、回線交換の呼の相手のＰＳアドレスを取得する方法及び装置を示している。ここでは、ＰＳネットワークアドレスの検索は、ＣＳネットワークを介してＣＳプロトコルを用いて初期化される。アドレス検索リクエストは、ＣＳ呼の相手、あるいはネットワークアドレスリクエストを遂行するネットワークサービスに向けられる。このリクエストは、ＣＳ呼の相手のユーザ機器により受信され、ＰＳネットワークアドレスが参照されて、リクエスト元のユーザ機器に返信される。
【００８５】
組み合わせサービスは、現在３ＧＰＰにより標準化されている。ＣＳインフラストラクチャの再利用により、オペレータによる大規模投資を必要とせずに、ＩＭＳサービスの段階的な導入が可能になる。もう１つの側面は、呼への新しい高度マルチメディアサービスの導入があり、これにより、基本的な通信ニーズ（即ち、発呼する）に豊かなユーザ経験をもたらすことになる。いくつかのサービスが、音声呼との関連、例えば、補完サービスで、ユーザにかなり一般的に使用されている。しかしながら、高度音声サービスとの関連では、補完サービスの扱いが問題になりつつある。本発明は、呼保留のような補完サービスが陰単起動される組み合わせサービスの状況でのセッションを制御するために、ネットワークセッションノード６、７と協働するセッション状態マネージャノード５を導入することによるソリューションを提供する。
【００８６】
提示される本発明は、組み合わせの状況の中で関連するＣＳ呼とＩＭＳセッションの制御方法を提供する。本発明の展開により、ＣＳドメイン補完サービスの起動は、関連するＩＭＳサービスに影響を及ぼすことができ、ＩＭＳ接続を便利で効率的な方法で、例えば、一時的に停止することができる。
【００８７】
提示された各ソリューションでは、セッション状態マネージャノード５がチェックすること（ソリューション１）、アクティブな（ソリューション２、３）役割を有し、従って、ＩＭＳセッションを制御する処理に関与し、かつ影響を及ぼしている。このセッション状態マネージャノード５は、信頼できるネットワークエンティティと見なされていて、かつイベントを初期化しているＵＥ１、２のいかなる動作を、検出し訂正することを潜在的に実現することができる。本発明に従う信頼できるセッション状態マネージャノード５を含めることにより、信頼できないと見なされるＵＥの使用が可能になる。
【図面の簡単な説明】
【００８８】
【図１】２台のＵＥが接続している組み合わせネットワークの概略図を示す図である。
【図２Ａ】ＵＥ、ＣＳドメインネットワークセッションノード、ＩＭＳドメインネットワークセッションノード、及びセッション状態マネージャノードの間のメッセージフロー時間シーケンス図において、ＵＥが、呼保留のために、ＩＭＳドメインネットワークセッションノードにメッセージを送信することを示す図である。
【図２Ｂ】ＵＥ、ＣＳドメインネットワークセッションノード、ＩＭＳドメインネットワークセッションノード、及びセッション状態マネージャノードの間のメッセージフロー時間シーケンス図において、ＵＥが、呼保留のために、セッション状態マネージャノードを介して、ＩＭＳドメインネットワークセッションノードにメッセージを送信することを示す図である。。
【図２Ｃ】ＵＥ、ＣＳドメインネットワークセッションノード、ＩＭＳドメインネットワークセッションノード、及びセッション状態マネージャノードの間のメッセージフロー時間シーケンス図において、ＵＥが、呼保留のために、ＣＳドメインネットワークセッションノードにメッセージを送信し、このＣＳドメインネットワークセッションノードは、セッション状態マネージャノードにパーティＡ及びパーティＣと称される２パーティ間で呼が確立されることを示すメッセージを送信し、このメッセージは、セッション状態マネージャノードからＩＭＳドメインネットワークセッションノードにＩＭＳセッションを保留するようにリクエストさせることを意図したものであることを示す図である。
【図３】ＵＥのような通信装置の一部の概要を示す図である。
【図１】
2008508755.tif 000003
【図２Ａ】
2008508755.tif 000004
【図２Ｂ】
2008508755.tif 000005
【図２Ｃ】
2008508755.tif 000006
【図３】
2008508755.tif 000007
【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
少なくとも２つの異なるネットワークタイプの少なくとも２つのネットワーク（１１、１２、１３）を備える電気通信システム内のセッション制御を提供する方法であって、
前記ネットワーク（１１、１２、１３）は、少なくとも１つの第１ユーザ機器（１）とネットワークエンティティ（２、３４）と接続し、
前記第１ユーザ機器（１）と前記ネットワークエンティティ（２、３４）は、異なるネットワークタイプの少なくとも２つの前記ネットワークとの接続部（１１、１２、１３）を有し、
前記方法は、
第１ネットワークタイプの前記ネットワーク（１１、１２、１３）に存在する第１通信セッション内のイベントを検出する工程と、
前記イベントに基づいて、第１メッセージを作成する工程と、
前記第１ネットワークタイプの前記ネットワーク（１１、１２、１３）に存在する前記第１通信セッションを制御することに関し、該第１ネットワークタイプの該ネットワーク（１１、１２、１３）内に備わるネットワークノード（６、７）へ前記第１メッセージを提供する工程と、
前記イベントに基づいて、第２メッセージを作成する工程と、
第２ネットワークタイプの前記ネットワーク（１１、１２、１３）に存在する第２通信セッションを制御することに関し、ネットワークノード（５、６、７）へ前記第２メッセージを提供する工程とを備え、
前記第１通信セッションと前記第２通信セッションは、前記異なるネットワークタイプの前記ネットワーク（１１、１２、１３）に同時に存在し、かつ前記第１通信セッション及び前記第２通信セッションは相互に関連し共存する
ことを特徴とする方法。
【請求項２】
前記検出する工程、前記作成する工程及び前記提供する工程は、前記第１ユーザ機器（１）によって実行される
ことを特徴とする請求項１に記載の方法。
【請求項３】
前記検出する工程、前記作成する工程及び前記提供する工程は、前記ネットワークエンティティ（２、３４）によって実行される
ことを特徴とする請求項１に記載の方法。
【請求項４】
前記イベントは、前記第１ユーザ機器（１）あるいは前記ネットワークエンティティ（２、３４）によって生成される
ことを特徴とする請求項１乃至３のいずれか１項に記載の方法。
【請求項５】
前記イベントは、前記第１ネットワークタイプの前記ネットワークに構成されている第１ネットワークセッションノード（７）によって生成される
ことを特徴とする請求項１乃至３のいずれか１項に記載の方法。
【請求項６】
前記ネットワークノード（５、６）は、セッション状態マネージャノード（５）、あるいは前記第２ネットワークタイプの前記ネットワークに構成されている第２ネットワークセッションノード（６）である
ことを特徴とする請求項１乃至５のいずれか１項に記載の方法。
【請求項７】
前記イベントは、前記セッション状態マネージャノード（５）によって生成される
ことを特徴とする請求項６に記載の方法。
【請求項８】
前記イベントは、前記第２ネットワークセッションノード（６）によって生成される
ことを特徴とする請求項６に記載の方法。
【請求項９】
前記イベントは、外部ノード（８）によって生成される
ことを特徴とする請求項６に記載の方法。
【請求項１０】
前記第１メッセージは、前記第１ネットワークセッションノード（７）に提供される
ことを特徴とする請求項５乃至９のいずれか１項に記載の方法。
【請求項１１】
前記第２メッセージは、前記第２ネットワークセッションノード（６）に提供される
ことを特徴とする請求項６乃至１０のいずれか１項に記載の方法。
【請求項１２】
前記第２メッセージは、該第２メッセージを前記第２ネットワークセッションノード（６）へ転送する前記セッション状態マネージャノード（５）に提供される
ことを特徴とする請求項６乃至１１のいずれか１項に記載の方法。
【請求項１３】
前記第２ネットワークセッションノード（６）は、前記第２メッセージの受信に応じて、前記第２通信セッションを停止するあるいは再開する
ことを特徴とする請求項６乃至１２のいずれか１項に記載の方法。
【請求項１４】
前記第２ネットワークセッションノード（６）は、前記第２メッセージの受信に応じて、前記第２通信セッションを遅延させるあるいは加速させる
ことを特徴とする請求項６乃至１３のいずれか１項に記載の方法。
【請求項１５】
前記第２ネットワークセッションノード（６）は、前記第２ネットワークタイプのネットワークの帯域幅を増加させるあるいは減少させる
ことを特徴とする請求項６乃至１４のいずれか１項に記載の方法。
【請求項１６】
前記第２ネットワークセッションノード（６）は、前記第２メッセージを受信してから所定時間遅延後、前記第２通信セッションを終了する
ことを特徴とする請求項６乃至１５のいずれか１項に記載の方法。
【請求項１７】
前記ネットワークエンティティ（２、３４）は、第２ユーザ機器（２）、あるいはコンテンツサーバであるようなネットワークサービスノード（３４）である
ことを特徴とする請求項１乃至１６のいずれか１項に記載の方法。
【請求項１８】
前記第１ユーザ機器（１）及び前記第２ユーザ機器（２）は、ネットワーク（１１、１２、１３）それぞれに接続される少なくとも１つの接続部を有する端末を備え、
前記端末は、デュアル転送モード（ＤＴＭ）端末、グローバル移動通信システム−汎用パケット無線システム（ＧＳＭ−ＧＰＲＳ）端末、あるいはユニバーサル移動体電気通信システムマルチ無線アクセスベアラ（ＵＭＴＳ  マルチＲＡＢ）端末であるような端末である
ことを特徴とする請求項１乃至１７のいずれか１項に記載の方法。
【請求項１９】
前記第１ユーザ機器（１）あるいは前記第２ユーザ機器（２）は、２つ以上の端末を備え、
前記２つ以上の端末それぞれは、ネットワーク（１１、１２、１３）それぞれに接続される少なくとも１つの接続部を有する
ことを特徴とする請求項１乃至１８のいずれか１項に記載の方法。
【請求項２０】
前記端末は、音声、オーディオ、ビデオ、電子メール、テキストメッセージあるいはデータのような通信セッションをデバイスによって展開する機能を有し、
前記デバイスは、電話、ヘッドセット、グローバル移動通信システム（ＧＳＭ）端末、改良型移動電話システム（ＡＭＰＳ）あるいはデジタルＡＭＰＳ（Ｄ−ＡＭＰＳ）端末、改良型デジタルコードレス電話（ＤＥＣＴ）端末、Ｂｌｕｅｔｏｏｔｈ（登録商標）端末、ユニバーサル移動体電気通信システム（ＵＭＴＳ）端末、ビデオ端末、パーソナルコンピュータ（ＰＣ）あるいはワークステーションのようなデバイスである
ことを特徴とする請求項１９に記載の方法。
【請求項２１】
前記端末（１、２）は、前記ネットワーク（１１、１２、１３）との無線接続部あるいは前記ネットワーク（１１、１２、１３）との有線接続部を有する
ことを特徴とする請求項１８乃至２０のいずれか１項に記載の方法。
【請求項２２】
前記ネットワーク（１１、１２、１３）は、回線交換（ＣＳ）タイプ及びパケット交換（ＰＳ）タイプの少なくとも一方のタイプのネットワークである
ことを特徴とする請求項１乃至２１のいずれか１項に記載の方法。
【請求項２３】
前記第１ユーザ機器（１）あるいは前記ネットワークエンティティ（２、３４）におけるインターネットプロトコルマルチメディアサブシステム（ＩＭＳ）アプリケーションが、前記イベントを検出して、かつ前記第１メッセージ及び前記第２メッセージを提供する
ことを特徴とする請求項２２に記載の方法。
【請求項２４】
前記第２ネットワークセッションノード（６）は、ＩＰマルチメディアサブシステム（ＩＭＳ）サーバであり、前記第２メッセージの受信に応じて、前記第２通信セッションを制御するように構成されている
ことを特徴とする請求項２２または２３に記載の方法。
【請求項２５】
前記イベントは、呼保留イベントあるいは終了イベントである
ことを特徴とする請求項１乃至２４のいずれか１項に記載の方法。
【請求項２６】
前記イベントと、該イベントに関連付けられている前記第２メッセージに基づいて、前記ＩＭＳサーバ（６）における保留動作あるいは終了動作は、該第２メッセージに備わるタイムスタンプと同期がとられる
ことを特徴とする請求項２４乃至２５のいずれか１項に記載の方法。
【請求項２７】
前記イベントが呼保留あるいは呼終了である場合、進行中の前記セッションが完了するまで、前記ＩＭＳサーバ（６）は、前記第１通信セッションあるいは前記第２通信セッションを維持する
ことを特徴とする請求項２４乃至２６のいずれか１項に記載の方法。
【請求項２８】
電気通信システムにおいて動作する通信装置であって、
前記電気通信システムは、少なくとも２つの異なるネットワークタイプの少なくとも２つのネットワーク（１１、１２、１３）を備え、
前記ネットワーク（１１、１２、１３）は、少なくとも第１ユーザ機器（１）とネットワークエンティティ（２、３４）と接続し、
前記第１ユーザ機器（１）と前記ネットワークエンティティ（２、３４）は、それぞれがネットワークアドレスに関連付けられている、前記少なくとも２つのネットワークとのネットワーク接続部（１Ａ、１Ｂ、１Ｃ、２Ａ、２Ｂ、２Ｃ、３４Ａ、３４Ｂ、３４Ｃ）を有し、
前記ユーザ機器（１）は、
それぞれがネットワークアドレスを有するインタフェース（１Ａ、１Ｂ、１Ｃ）によって前記ネットワーク（１１、１２、１３）と通信接続され、前記インタフェース（１Ａ、１Ｂ、１Ｃ）を介してイベントを受信し、かつ第１メッセージ及び第２メッセージを送信する入出力（Ｉ／Ｏ）部（１０１）と、
前記イベントと前記メッセージを記憶するメモリ部（１０３）と、
アプリケーションプログラム記憶装置（１２）を備える処理部（１０２）とを備え、
当該通信装置は、
前記イベントに基づいて、前記第１メッセージ及び前記第２メッセージを作成するように構成されていて、
前記イベントは、第１ネットワークタイプの前記ネットワーク（１１、１２、１３）に存在する第１通信セッション内で検出され、
前記第１メッセージは、前記第１通信セッションを制御することに関して、前記第１ネットワークタイプの前記ネットワーク（１１、１２、１３）に備わるネットワークノード（６、７）に送信され、
前記第２メッセージは、前記第２ネットワークタイプの前記ネットワーク（１１、１２、１３）に存在する第２通信セッションを制御することに関して、ネットワークノード（５、６、７）に送信され、
前記第１通信セッションと前記第２通信セッションは、異なるネットワークタイプの前記ネットワーク（１１、１２、１３）に同時に存在し、かつ前記第１通信セッション及び前記第２通信セッションは互いに関連し共存する
ことを特徴とする通信装置。
【請求項２９】
前記アプリケーションプログラム記憶装置（１２）を備える処理部（１０２）は、時刻あるいは加入者プロファイルのような所定規則及びパラメータに従って、前記第１メッセージ及び前記第２メッセージを作成する
ことを特徴とする請求項２８に記載の通信装置。
【請求項３０】
前記第１ユーザ機器（１）は、ネットワーク（１１、１２、１３）それぞれに接続されている少なくとも１つの接続部を備える端末を備え、
前記接続部のそれぞれは、ネットワークアドレス（１Ａ、１Ｂ、１Ｃ）を有し、
前記端末は、デュアル転送モード（ＤＴＭ）端末、グローバル移動通信システム−汎用パケット無線システム（ＧＳＭ−ＧＰＲＳ）端末、あるいはユニバーサル移動体電気通信システムマルチ無線アクセスベアラ（ＵＭＴＳ  マルチＲＡＢ）端末であるような端末である
ことを特徴とする請求項２８または２９に記載の通信装置。
【請求項３１】
前記ユーザ機器（１）は、２つ以上の端末を備え、
前記２つ以上の端末それぞれは、ネットワーク（１１、１２、１３）それぞれに接続される少なくとも１つの接続部を有し、
前記接続部のそれぞれは、ネットワークアドレス（１Ａ、１Ｂ、１Ｃ）を有する
ことを特徴とする請求項２８乃至３０のいずれか１項に記載の通信装置。
【請求項３２】
前記端末は、音声、オーディオ、ビデオ、電子メール、テキストメッセージあるいはデータのような通信セッションをデバイスによって展開する機能を有し、
前記デバイスは、電話、ヘッドセット、グローバル移動通信システム（ＧＳＭ）端末、改良型移動電話システム（ＡＭＰＳ）あるいはデジタルＡＭＰＳ（Ｄ−ＡＭＰＳ）端末、改良型デジタルコードレス電話（ＤＥＣＴ）端末、Ｂｌｕｅｔｏｏｔｈ（登録商標）端末、ユニバーサル移動体電気通信システム（ＵＭＴＳ）端末、ビデオ端末、パーソナルコンピュータ（ＰＣ）あるいはワークステーションのようなデバイスである
ことを特徴とする請求項３０または３１に記載の通信装置。
【請求項３３】
前記端末（１）は、前記ネットワーク（１１、１２、１３）の少なくとも１つに対する無線接続部あるいは前記ネットワーク（１１、１２、１３）の少なくとも１つに対する有線接続部を有する
ことを特徴とする請求項３０乃至３２のいずれか１項に記載の通信装置。
【請求項３４】
前記ネットワーク（１１、１２、１３）と、それに関連付けられているネットワークアドレス（１Ａ、１Ｂ、１Ｃ）は、回線交換（ＣＳ）タイプ及びパケット交換（ＰＳ）タイプの少なくとも一方のタイプのものである
ことを特徴とする請求項２８乃至３３のいずれか１項に記載の通信装置。
【請求項３５】
前記端末（１）は、前記イベントを生成する入力手段（１０４）を有する
ことを特徴とする請求項３０乃至３４のいずれか１項に記載の通信装置。
【請求項３６】
前記端末（１）は、ＩＰマルチメディアサービス（ＩＭＳ）セッションを実行するように構成されている
ことを特徴とする請求項３０乃至３４のいずれか１項に記載の通信装置。
【手続補正２】
【補正対象書類名】明細書
【補正対象項目名】００２１
【補正方法】変更
【補正の内容】
【００２１】
さらに、ネットワーク内のセキュリティ原理への影響の問題がある。一般に、ユーザ機器は、呼保留のようないくつかの関係するネットワーク処理を開始することを担当するが、ネットワーク内の信頼できるエンティティとは見なされない。それゆえ、ユーザ機器の「信頼できない」本質を補償するために、ユーザ機器を補完する検証メカニズムを利用できる必要がある。
国際公開番号ＷＯ０２／０６１６１７号公報は、独立請求項１及び２８の範囲を定めるものであり、これは、異なるタイプの非組み合わせネットワーク間の通信セッションのハンドオーバを提供するシステム及び方法を開示している。これには、端末は複数のネットワークのに接続することができ、また、両方のネットワークの無線チャネルパラメータのような互換ネットワーク特性は、ハンドオーバに対しては問題となり得る。
アクティブな呼中に、現在のチャネルの無線リソース情報を含む無線リソースインジケータは、ネットワーク内の制御エンティティ間を送信される。これは、適切な新規のチャネルが選択されるように、以前の無線チャネル特性に関して適切に構成され、これにより、ハンドオーバは成功する。
【国際調査報告】
2008508755.tif 000008
2008508755.tif 000009